(57)【要約】【課題】省エネ性を低下させることなく、電源スイッチオフ後の結露の発生を防止する。【解決手段】サブ回路は、ヒーターの駆動用接点と、排出ファンの駆動用接点と、電源スイッチがオフされた場合に該ヒーターの駆動用接点を第一設定時間だけ導通させ、排出ファンの駆動用接点を第二設定時間だけ導通させるタイマー手段を含んでいる。制御部は、電源スイッチがオンされている状態で、湿度検出センサーより受信した湿度情報を基に、画像形成装置本体内の湿度が閾値以上であるか否かを判定して（ステップＳＡ１）、閾値以上であると判定した場合にはタイマー手段における第一設定時間を０に設定し且つ第二設定時間を０よりも大きい所定時間に設定する一方（ステップＳＡ２）、湿度が上記閾値未満であると判定した場合には、タイマー手段における第一設定時間を０よりも大きい所定時間に設定し且つ上記第二設定時間を０に設定する（ステップＳＡ３）。【選択図】図３
2019012226.tif 000002
【特許請求の範囲】
【請求項１】
画像形成装置本体と、電源スイッチと、該電源スイッチがオンされた状態で画像形成動作を制御する制御部と、該制御部に電力を供給するための電力供給回路と、を備えた画像形成装置であって、
上記画像形成装置本体内の所定箇所を加熱するヒーターと、
上記画像形成装置本体内の水蒸気を外部に排出する排出機器と、
上記画像形成装置本体内の湿度又は当該湿度に関連する湿度を検出してその情報を上記制御部に送信する湿度検出センサーと、をさらに備え、
上記電力供給回路は、上記電源に接続された電源回路と、上記制御部を含むメイン回路と、上記排出機器及びヒーターを含むサブ回路と、上記電源スイッチがオンされた場合に上記電源回路を上記メイン回路に接続する一方、該電源スイッチがオフされた場合には上記電源回路を上記サブ回路に接続する切替え回路と、を含み、
上記サブ回路は、上記ヒーターの駆動用接点と、上記排出機器の駆動用接点と、上記電源スイッチがオフされた場合に該ヒーターの駆動用接点を第一設定時間だけ導通させ、上記排出機器の駆動用接点を第二設定時間だけ導通させるタイマー手段と、を含んでおり、
上記制御部は、上記電源スイッチがオンされている状態で、上記湿度検出センサーより受信した湿度情報を基に、上記画像形成装置本体内の湿度が閾値以上であるか否かを判定して、該閾値以上であると判定した場合には上記タイマー手段における上記第一設定時間を０に設定し且つ上記第二設定時間を０よりも大きい所定時間に設定する一方、上記湿度が上記閾値未満であると判定した場合には、上記タイマー手段における上記第一設定時間を０よりも大きい所定時間に設定し且つ上記第二設定時間を０に設定するタイマー設定制御を実行するように構成されている、画像形成装置。
【請求項２】
請求項１記載の画像形成装置において、
上記制御部は、上記タイマー設定制御を所定時間を置きに実行するように構成されている、画像形成装置。
【請求項３】
請求項１記載の画像形成装置において、
上記制御部は、上記電源スイッチがオフされた直後であって、上記切替え回路によって上記電源スイッチの接続先が上記記電源回路から上記サブ回路に切り替わる前に、上記タイマー設定制御を実行するように構成されている、画像形成装置。
【発明の詳細な説明】
【技術分野】
【０００１】
本発明は、画像形成装置に関する。
【背景技術】
【０００２】
電子写真方式の画像形成装置では、感光体ドラムや露光装置の結露を防止するべく画像形成装置内にヒーターを配置する場合がある（例えば、特許文献1参照）。ヒーターは、感光体ドラムや光学装置等、結露が生じやすい機械部品に対して設けられている。
【０００３】
画像形成装置の電源回路は、画像形成装置本体に電源を供給する負荷系回路と、ヒーターに電源を供給するヒーター系回路とのいずれかに切替えスイッチを介して接続される。この切り替えスイッチは、画像形成装置の電源スイッチに連動して切替え可能になっている。切り替えスイッチは、該電源スイッチがオン状態にあるときには電源回路をメイン回路に接続する一方、スイッチがオフ状態にあるときには電源回路をヒーター系回路に接続する。電源回路には、タイマーが設けられている。タイマーは、予め設定された時刻になるとヒーター系回路に設けられた接点を閉じてヒーターを作動させる。
【先行技術文献】
【特許文献】
【０００４】
【特許文献１】特開平０９−２６９７０６号公報
【発明の概要】
【発明が解決しようとする課題】
【０００５】
特許文献１に示す従来の画像形成装置では、ヒーターが作動することにより空気温度が上昇して飽和水蒸気量が増加し、これにより結露の発生が抑制される。しかしこの構成では、画像形成装置内の湿度が閾値よりも高い場合には、空気中の水蒸気量が多いのでヒーターを作動させたとしても、結露の発生を完全に抑制することはできない。
【０００６】
そこで、画像形成装置内の水蒸気量そのものを減らすことで結露の発生を抑制することが考えられる。水蒸気量を減らす方法として画像形成装置内の水蒸気を含む空気を排出ファン（排出機器）により機外に強制排出させる方法が挙げられる。また、排出ファンに替えて熱交換器（排出機器）を使用することも考えられる。
しかし、一般に排出機器を駆動するための電力は、ヒーターを駆動するための電力に比べて格段に大きい。したがって、単に排出機器を作動させるだけでは省エネ性が低下するという問題がある。
【０００７】
本発明は、かかる点に鑑みてなされたものであり、その目的とするところは、省エネ性を低下させることなく、電源スイッチがオフされた後の画像形成装置内の結露の発生を防止することにある。
【課題を解決するための手段】
【０００８】
本発明に係る画像形成装置は、画像形成装置本体と、電源スイッチと、該電源スイッチがオンされた状態で画像形成動作を制御する制御部と、該制御部に電力を供給するための電力供給回路と、を備えている。
【０００９】
そして、上記画像形成装置本体内の所定箇所を加熱するヒーターと、上記画像形成装置本体内の水蒸気を外部に排出する排出機器と、上記画像形成装置本体内の湿度又は当該湿度に関連する湿度を検出してその情報を上記制御部に送信する湿度検出センサーと、をさらに備え、上記電力供給回路は、上記電源に接続された電源回路と、上記制御部を含むメイン回路と、上記排出機器及びヒーターを含むサブ回路と、上記電源スイッチがオンされた場合に上記電源回路を上記メイン回路に接続する一方、該電源スイッチがオフされた場合には上記電源回路を上記サブ回路に接続する切替え回路と、を含み、上記サブ回路は、上記ヒーターの駆動用接点と、上記排出機器の駆動用接点と、上記電源スイッチがオフされた場合に該ヒーターの駆動用接点を第一設定時間だけ導通させ、上記排出機器の駆動用接点を第二設定時間だけ導通させるタイマー手段と、を含んでおり、上記制御部は、上記電源スイッチがオンされている状態で、上記湿度検出センサーより受信した湿度情報を基に、上記画像形成装置本体内の湿度が閾値以上であるか否かを判定して、該閾値以上であると判定した場合には上記タイマー手段における上記第一設定時間を０に設定し且つ上記第二設定時間を０よりも大きい所定時間に設定する一方、上記湿度が上記閾値未満であると判定した場合には、上記タイマー手段における上記第一設定時間を０よりも大きい所定時間に設定し且つ上記第二設定時間を０に設定するタイマー設定制御を実行するように構成されている。
【発明の効果】
【００１０】
本発明によれば、省エネ性を低下させることなく、電源スイッチがオフされた後の画像形成装置内の結露の発生を防止することができる。
【図面の簡単な説明】
【００１１】
【図１】図１は、実施形態における画像形成装置を示す概略図である。
【図２】図２は、画像形成装置の各部に電力を供給する電力供給回路の一例を示す回路図である。
【図３】図３は、制御部における結露防止制御の内容を示すフローチャートである。
【図４】図４は、実施形態２を示す図３相当図である。
【発明を実施するための形態】
【００１２】
以下、本発明の実施形態を図面に基づいて詳細に説明する。尚、本発明は、以下の実施形態に限定されるものではない。
《実施形態１》
【００１３】
図１は、本実施形態における画像形成装置１を示す概略図である。画像形成装置１は、レーザープリンターであって、給紙部１０、画像形成部２０、定着部３０、排紙部４０を備えている。給紙部１０は画像形成装置本体６０内の下部に設けられ、排紙部４０は画像形成装置本体６０の上面に設けられ、画像形成部２０及び定着部３０は、給紙部１０から排紙部４０に至る用紙搬送路の途中に設けられている。また画像形成装置本体６０内には、紙搬送路に沿って複数の搬送ローラー対１１〜１３が設けられている。
【００１４】
上記給紙部１０は、シート状の用紙Ｐが収容される給紙カセット１０ａと、該給紙カセット１０ａ内の用紙Ｐを取り出して該カセット外に送り出すためのピックアップローラー１０ｂとを有している。給紙カセット１０ａよりカセット外に送り出された用紙Ｐは、搬送ローラー対１１を介して画像形成部２０に供給される。
【００１５】
画像形成部２０は、感光体ドラム２１、帯電器２３、露光装置２５、現像装置２７、転写部２９を有している。画像形成時には、先ず、帯電器２３によって感光体ドラム２１の周面が帯電され、その後、露光装置２５によって感光体ドラム２１の表面に原稿画像データ（例えば、外部端末より受信した原稿画像の画像データ）に基づくレーザー光が照射される。そうして、感光体ドラム２１の表面には、上記画像データに対応する静電潜像が形成される。感光体ドラム２１の表面に形成された静電潜像は、現像装置２７によりトナー像として現像される。これにより、感光体ドラム２１の表面にトナー像が形成（担持）される。このトナー像は転写部２９によって、給紙部１０から供給される用紙Ｐに対して転写される。トナー像が転写された後の用紙Ｐは、転写部２９における転写ローラーの回転によって定着部３０へ供給される。
【００１６】
定着部３０では、転写部２９より供給される用紙Ｐを定着ローラー３０ａ及び加圧ローラー３０ｂ間で加熱及び加圧することにより、当該用紙Ｐにトナー像を定着させる。そして、定着部３０にてトナー像が定着された用紙Ｐは、両ローラー３０ａ，３０ｂにより用紙搬送方向の下流側へと送り出される。定着部３０より送り出された用紙Ｐは、複数の搬送ローラー対１２，１３を介して上記排紙部４０に排出される。
【００１７】
画像形成装置本体６０内には、光学結露ヒーター９３ａ、ドラムヒーター９３ｂ、カセットヒーター９３ｃが設けられている。光学結露ヒーター９３ａ、ドラムヒーター９３ｂ及びカセットヒーター９３ｃはそれぞれ、露光装置２５、感光体ドラム２１、及び給紙カセット１０ａの近傍に設けられている。光学結露ヒーター９３ａは、露光装置２５内の光学要素（ミラーやレンズ等）に結露が生じるのを防止する。ドラムヒーター９３ｂは、感光体ドラム２１の保温と結露防止を図ることにより、画像不良及び用紙の巻き付きによるジャムの発生を防止する。カセットヒーター９３は、給紙部１０の給紙カセット１０ａにて結露が生じることにより用紙Ｐが湿って紙詰まりを起こすのを防止する。これらのヒーター９３ａ〜９３ｃは、空気の温度を上昇させて飽和水蒸気量を増加させることで結露を防止している。
【００１８】
画像形成装置本体６０にはさらに、結露を防止するための排出ファン（排出機器）９４が設けられている。排出ファン９４は、画像形成装置本体６０における画像形成部２０に隣接する側壁に設けられている。排出ファン９４は、画像形成装置本体６０内の水蒸気を含む空気を外部に排出することで、画像形成装置本体６０内の水蒸気量を低減して結露の発生を防止する。
【００１９】
次に、図２を参照して、上記画像形成装置１の各部に電力を供給する電力供給回路について説明する。この電力供給回路は、電源回路７０、メイン回路８０、サブ回路９０、及び切替え回路１００有している。
【００２０】
電源回路７０は、交流電源のコンセントに接続される電源プラグ７１を含んでいる。電源プラグ７１には、ホットライン７２とニュートラルライン７３との二本の電源ラインが接続されている。ホットライン７２にはヒューズ７４が直列に接続されている。ホットライン７２及びニュートラルライン７３間にはタイマー７５が接続されている。
【００２１】
電源回路７０のホットライン７２の一端及びニュートラルライン７３の一端にはそれぞれ切替えスイッチ１００ａ，１００ｂが設けられている。切替えスイッチ１００ａ，１００ｂは切替え回路１００の一部を構成する。
【００２２】
切替えスイッチ１００ａ，１００ｂは、スイッチ駆動回路１０１により駆動されて、電源回路７０の接続先をメイン回路８０とサブ回路９０とのいずれか一方に切替える。図２では、各切替えスイッチ１００ａ，１００ｂによって電源回路７０がメイン回路８０に接続された状態を示している。スイッチ駆動回路１０１により切替えスイッチ１００ａ，１００ｂが図２に示す状態とは反対側に切り替わると、電源回路７０がサブ回路９０に接続される一方、電源回路７０とメイン回路８０との接続が遮断される。
【００２３】
スイッチ駆動回路１０１は、画像形成装置本体６０の操作部に設けられた電源スイッチ１０２に接続されている。スイッチ駆動回路１０１は、電源スイッチ１０２がオン操作されたことを示す信号を受信した場合には、各切替えスイッチ１００ａ，１００ｂを図２に示すようにメイン回路８０側に切替える。一方、スイッチ駆動回路１０１は、電源スイッチ１０２がオフ操作されたことを示す信号を受信した場合には、各切替えスイッチ１００ａ，１００ｂをサブ回路９０側に切替える。
【００２４】
メイン回路８０は、ホットライン８１、ニュートラルライン８２、ＤＣ電源８３、及び交流負荷８４を含んでいる。ホットライン８１は、切替えスイッチ１００ａを介して電源回路７０のホットライン７２に導通／遮断可能に接続され、ニュートラルライン８２は、切替えスイッチ１００ｂを介して電源回路７０のニュートラルライン７３に導通／遮断可能に接続されている。ホットライン８１及びニュートラルライン８２間には、ＤＣ電源８３及び交流負荷８４が接続されている。ＤＣ電源８３には画像形成装置１による画像形成動作を制御する制御部８５が接続されている。
【００２５】
制御部８５は、例えばＣＰＵ、ＲＯＭ及びＲＡＭ等からなるマイクロコンピューターにより構成されている。制御部８５には、直流負荷や各種のセンサーが接続されている。図２では、センサーの一例として画像形成装置本体６０内の湿度を測定する湿度検出センサー８７のみを示している。
【００２６】
サブ回路９０は、ホットライン９１、ニュートラルライン９２、上記三つのヒーター９３ａ〜９３ｃ及び上記排出ファン９４を含んでいる。ホットライン９１は、切替えスイッチ１００ａを介して電源回路７０のホットライン７２に導通／遮断可能に接続され、ニュートラルライン９２は、切替えスイッチ１００ｂを介して電源回路７０のニュートラルライン７３に導通／遮断可能に接続されている。上記三つのヒーター９３ａ〜９３ｃは互いに並列に配置されて、ホットライン９１及びニュートラルライン９２間に跨る第一ライン９６に接続されている。上記排出ファン９４は、ホットライン９１及びニュートラルライン９２間に跨る第二ライン９７に接続されている。図中の符号９５は、排出ファン９４と並列に配置された逆起電圧保護用のダイオードである。
【００２７】
上記第一ライン９６及び第二ライン９７には、タイマー７５により駆動されるＡ接点７５ａ，７５ｂが設けられている。電源回路７０がサブ回路９０に接続された状態で、Ａ接点７５ａ，７５ｂを閉じると、第一ライン９６及び第二ライン９７に配置されたヒーター９３ａ〜９３ｃ及び排出ファン９４が作動する。二つのＡ接点７５ａ，７５ｂはそれぞれ、タイマー７５により独立に駆動可能にとされている。したがって、タイマー７５の設定内容に応じてヒーター９３ａ〜９３ｃと排出ファン９４とをそれぞれ独立に作動させることができる。以下の説明では、上記第一ライン９６に設けられたＡ接点７５ａをヒーター駆動用接点と称し、上記第二ライン９７に設けられたＡ接点７５ｂをファン駆動用接点と称する。
【００２８】
上記タイマー７５は、制御部８５に信号の授受可能に接続されている。タイマー７５は、ヒーター駆動用接点７５ａのオン時間（導通時間）を第一設定時間Ｔ１として記憶し、ファン駆動用接点７５ｂのオン時間を第二設定時間Ｔ２として記憶する。タイマー７５に記憶された各設定時間Ｔ１，Ｔ２は制御部８５によって設定される。制御部８５は、後述するようにこの設定時間Ｔ１，Ｔ２を、湿度検出センサー８７による検出湿度に応じて所定時間置きに更新（設定）する。
【００２９】
図３を参照して、制御部８５による第一及び第二設定時間Ｔ１，Ｔ２の設定制御の詳細について説明する。
【００３０】
ステップＳＡ１では、湿度検出センサー８７からの検出信号（湿度情報）を基に画像形成装置本体６０内の湿度を算出し、算出した湿度が予め設定した閾値以上であるか否かを判定する。そして、この判定がＮＯである場合にはステップＳＡ３に進む一方、ＹＥＳである場合にはステップＳＡ２に進む。
【００３１】
ステップＳＡ２では、タイマー７５に記憶されたヒーター駆動用接点７５ａのオン時間である第一設定時間Ｔ１を０に設定し、ファン駆動用接点７５ｂのオン時間である第二設定時間Ｔ２を０よりも大きい所定時間Ｔｆに設定し、しかる後にステップＳＡ４に進む。この所定時間Ｔｆは、画像形成装置本体６０内の湿度を閾値未満に下げることができるような十分に時間とすることが好ましく、例えば３０分〜１時間に設定される。所定時間Ｔｆは、一定値であってもよいし、湿度検出センサー８７による検出湿度が高いほど長くなるようにしてもよい。
【００３２】
ステップＳＡ１の判定がＮＯである場合に進むステップＳＡ３では、タイマー７５に記憶されたヒーター駆動用接点７５ａのオン時間である第一設定時間Ｔ１を０よりも大きい所定時間Ｔｈに設定し、ファン駆動用接点７５ｂのオン時間である第二設定時間Ｔ２を０に設定し、しかる後にステップＳＡ４に進む。この所定時間Ｔｈは、画像形成装置１の電源スイッチ１０２がオフ操作されてから電源スイッチ１０２がオン操作されるまでの時間の平均値とすることが好ましい。この平均値は、制御部８５によって算出すればよい。該所定時間Ｔｈは、このような平均値に基づくものではなく、画像形成装置１の電源スイッチ１０２のオフ時間を予測して設定してもよい。すなわち、例えば午後９時から翌日の午前９時まで画像形成装置１の電源スイッチ１０２がオフ状態にあると想定される場合には所定時間Ｔｈを１２時間とすればよい。この所定時間Ｔｈは、上記ステップＳＡ２で説明した所定時間Ｔｆよりも十分に長い。
【００３３】
ステップＳＡ４では、ステップＳＡ１の判定処理を実行した時から所定時間（例えば１０分）が経過したか否かを判定し、この判定がＮＯである場合には本ステップＳＡ４の処理を再度実行し、ＹＥＳである場合にはリターンする。
【００３４】
以上のように構成された画像形成装置１では、電源スイッチ１０２がオン操作されると、電源回路７０が切替えスイッチ１００ａ，１００ｂを介してメイン回路８０に接続される。そして、画像形成装置１の各部に電力が供給されて印刷処理等が実行されるのに伴って画像形成装置本体６０内の温度が上昇する。画像形成装置本体６０内の温度が高いうちは結露が生じることはないが、電源スイッチ１０２がオフ操作されて画像形成装置本体６０内の温度が低下すると結露が生じる虞がある。
【００３５】
この問題に対して、従来の画像形成装置では、結露が生じることにより画像不良や装置の故障を生じる虞がある箇所にヒーターを配置し、電源スイッチ１０２がオフされた後もヒーターを作動させることにより空気中の飽和蒸気量を高く維持して結露の発生を防止している。しかし、画像形成装置内の湿度が高い場合には、空気中の水蒸気量が多いのでヒーターを作動させたとしても、結露の発生を完全に抑制することはできない。そこで、画像形成装置内の水蒸気量そのものを減らすことで結露の発生を抑制することが考えられる。水蒸気量を減らす方法として画像形成装置内の水蒸気を含む空気を排出ファンにより機外に強制排出させる方法が挙げられる。しかし、一般に排出ファンを駆動するための電力は、ヒーターを駆動するための電力に比べて格段に大きい。したがって、単に排出ファンを作動させるだけでは省エネ性が低下するという問題がある。
【００３６】
これに対して本実施形態では、制御部８５は、電源スイッチ１０２がオンされている状態で、湿度検出センサー８７より受信した湿度情報を基に、画像形成装置本体６０内の湿度が閾値以上であるか否かを判定して、該閾値以上であると判定した場合には上記タイマー７５における上記第一設定時間Ｔ１（ヒーター駆動用接点７５ａのオン時間）を０に設定し且つ上記第二設定時間（排出ファン駆動用接点７５ｂのオン時間）を０よりも大きい所定時間Ｔｆに設定する一方、上記湿度が上記閾値未満であると判定した場合には、上記タイマー７５における上記第一設定時間を０よりも大きい所定時間Ｔｈに設定し且つ上記第二設定時間を０に設定するように構成されている。
【００３７】
この構成によれば、画像形成装置本体６０内の湿度が閾値以上である場合には、電源スイッチ１０２がオフされた後に排出ファン９４がタイマー７５によって所定時間Ｔｆ（＝第二設定時間）だけ駆動され、ヒーター９３ａ〜９３ｃは作動しない。
【００３８】
したがって、画像形成装置本体６０内の湿度が高い（つまり水蒸気量が多い）場合には、水蒸気量そのものを低減可能な排出ファン９４を作動させることで結露の発生を確実に抑制することができる。
【００３９】
一方、画像形成装置本体６０内の湿度が閾値未満である場合には、電源スイッチ１０２がオフされた後にヒーター９３ａ〜９３ｃがタイマー７５によって所定時間（＝第一設定時間Ｔ１）だけ駆動され、排出ファン９４は作動しない。
【００４０】
したがって、画像形成装置本体６０内の湿度が低い場合には空気中の水蒸気量そのものが少ないので排出ファン９４を作動させるまでもなく、消費電力の小さいヒーター９３ａ〜９３ｃを作動させて結露の発生を防止することができる。
【００４１】
よって、本実施形態では、省エネ性を低下させることなく、電源スイッチ１０２がオフされた後の画像形成装置本体６０内の結露の発生を確実に防止することができる。また、排出ファン９４の作動騒音が不必要に発生するのを防止することができる。
また、本実施形態では、制御部８５は、タイマー設定制御（ステップＳＡ１〜ＳＡ３の処理）を所定時間置きに実行するように構成されている。
【００４２】
これにより、タイマー７５の設定時間Ｔ１，Ｔ２を、極力、現時点の画像形成装置本体６０内の湿度を反映した設定にすることができる。
《実施形態２》
【００４３】
図４は、実施形態２を示している。本実施形態は、制御部８５によるタイマー７５の設定時間Ｔ１，Ｔ２の設定タイミングが上記実施形態１とは異なる。すなわち、本実施形態では、電源スイッチ１０２がオフされた直後にのみタイマー７５の設定時間Ｔ１，Ｔ２の設定を行うようにしている。
【００４４】
具体的には、ステップＳＢ１では、電源スイッチ１０２からの操作信号を基に、電源スイッチ１０２がオフ操作されたか否かを判定し、この判定がＮＯである場合には、タイマー７５の設定時間Ｔ１，Ｔ２の設定を行わずにリターンする一方、ＹＥＳである場合にはステップＳＢ２に進む。
【００４５】
ステップＳＢ２〜ＳＢ４の処理は、実施形態１におけるステップＳＡ１〜ＳＡ３の処理と同様である。
【００４６】
ステップＳＢ５では、スイッチ駆動回路１０１によって切替えスイッチ１００ａ，１００ｂ（切替え回路１００）を駆動して、電源回路７０の接続先をメイン回路８０からサブ回路９０に切替えて、しかる後にリターンする。
【００４７】
この構成によれば、本実施形態では、電源スイッチ１０２がオフされた直後であって、切替え回路１００によって電源スイッチ１０２の接続先がメイン回路８０からサブ回路９０に切り替わる前、タイマー設定制御（ステップＳＢ２〜ＳＢ４）を行うようにしている。したがって、画像形成装置１の作動中に所定時間置きにタイマー７５の設定時間Ｔ１，Ｔ２を設定する場合に比べて、制御部８５の演算負担を低減することができる。
【００４８】
また、ヒーター９３ａ〜９３ｂ又は排出ファン９４を作動させる直近の時刻において画像形成装置本体６０内の湿度が湿度検出センサー８７により測定されるので、タイマー７５の設定時間Ｔ１，Ｔ２を、極力、現時点の画像形成装置本体６０内の湿度を反映した設定にすることができる。
【００４９】
《他の実施形態》
上記各実施形態では、湿度検出センサー８７により画像形成装置本体６０内の湿度を検出するようにしているが、これに限ったものではない。例えば、湿度検出センサー８７によって、画像形成装置本体６０が設置された室内の湿度を検出するようにしてもよい。すなわち、湿度検出センサー８７により検出する湿度は、画像形成装置本体６０内の湿度と相関関係がある（つまり関連する）湿度であればよい。
【００５０】
また、上記各実施形態において、画像形成装置本体６０内の湿度が閾値以上であると判定された場合であっても、静音モード（騒音の抑制を優先するモード）が設定されているときには、タイマー７５における第一設定時間（ヒーター駆動用接点７５ａのオン時間）を０よりも大きい所定時間Ｔｈに設定し、第二設定時間を０（ファン駆動用接点７５ｂのオン時間）を０に設定するようにしてもよい。これにより、ユーザーが画像形成装置１の運転モードを静音モードに設定しているにも拘わらず排出ファン９４が作動して静音性を損なわれるのを防止することができる。
【００５１】
また、上記各実施形態では、画像形成装置本体６０内の水蒸気を外部に排出するための排出機器として排出ファン９４を使用しているが、これに限ったものではなく、例えば熱交換機を使用してもよい。
【００５２】
また、本発明は上記各実施形態に限定されるものでなく、本発明には、これらの各実施形態を適宜組み合わせた構成が含まれる。
【産業上の利用可能性】
【００５３】
以上説明したように、本発明は、画像形成装置について有用である。
【符号の説明】
【００５４】
Ｐ            用紙
Ｔ１          第一設定時間
Ｔ２          第二設定時間
Ｔｆ          所定時間
Ｔｈ          所定時間
１            画像形成装置
６０          画像形成装置本体
７０          電源回路
７５          タイマー（タイマー手段）
７５ａ        ヒーター駆動用接点
７５ｂ        排出ファン駆動用接点
８０          メイン回路
８５          制御部
８７          湿度検出センサー
９０          サブ回路
９３ａ        光学結露ヒーター
９３ｂ        ドラムヒーター
９３ｃ        セットヒーター
９４          排出ファン（排出機器）
１００ａ      切替えスイッチ（スイッチ回路）
１００ｂ      切替えスイッチ（スイッチ回路）
１０１        スイッチ駆動回路（スイッチ回路）
１０２        電源スイッチ
【図１】
2019012226.tif 000003
【図２】
2019012226.tif 000004
【図３】
2019012226.tif 000005
【図４】
2019012226.tif 000006